(57)【特許請求の範囲】
【請求項１】
端子金具と、
前記端子金具が挿入されるキャビティを有し、かつこのキャビティの内面に、前記端子金具を抜け止め係止するランスが撓み可能に突出して形成されているコネクタハウジングと、
前記コネクタハウジングに装着され、前記端子金具が前記キャビティ内に正規挿入されている場合には、前記ランスの撓み空間内に進入して前記端子金具を係止した前記ランスの撓み動作を規制する一方、前記端子金具が前記キャビティ内に半挿入状態にある場合には、撓み状態にある前記ランスと当接して自身のそれ以上の進入動作が規制されるリテーナとを備えたコネクタであって、
前記ランスには、前記端子金具が前記キャビティ内に半挿入状態にある場合に前記リテーナと当接する第１当接部と、前記端子金具への係止状態を解除するための治具が当接する第２当接部とが、それぞれ異なる位置に設けられ、
前記リテーナには、前記端子金具が前記キャビティ内に半挿入状態にある場合に前記第１当接部と当接する半挿入検知部と、前記端子金具が前記キャビティ内に正規挿入されている場合に前記ランスとその撓み方向で対向する撓み規制部とが、それぞれ前記コネクタハウジングへの装着方向に位置ずれして設けられ、
前記第２当接部が、前記ランスの幅方向中央側に設けられ、前記半挿入検知部が、前記リテーナの先端部の幅方向両側に設けられ、かつ前記リテーナの先端部の幅方向中央側には、前記第２当接部との干渉を回避する凹部が切り欠いて形成されていることを特徴とするコネクタ。
【請求項２】
前記第１、第２当接部が、前記リテーナのコネクタハウジングへの装着方向と直交する幅方向に位置ずれして設けられていることを特徴とする請求項１記載のコネクタ。
【請求項３】
前記第１当接部及び前記半挿入検知部が、前記コネクタハウジングへの装着方向に傾斜したテーパ状の当接面を有していることを特徴とする請求項１又は２記載のコネクタ。
【請求項４】
前記半挿入検知部が、前記撓み規制部よりも前記コネクタハウジングへの装着方向前方に設けられていることを特徴とする請求項１ないし３のいずれか１項記載のコネクタ。
【請求項５】
前記コネクタハウジングの外面には、前記第２当接部と対向する位置に、治具が挿入される治具挿入孔が開口して形成され、前記治具挿入孔の幅寸法が、前記第２当接部の幅寸法とほぼ等しくされていることを特徴とする請求項１ないし４のいずれか１項記載のコネクタ。
【発明の詳細な説明】
【技術分野】
【０００１】
本発明は、コネクタに関する。
【背景技術】
【０００２】
特許文献１には従来のコネクタが開示されている。このものは、端子金具と、端子金具を挿入可能なキャビティを有するコネクタハウジングと、コネクタハウジングの前面に装着されるリテーナとを備えている。コネクタハウジングのキャビティの内面には、ランスが前方へ突出して形成されている。ランスは、キャビティ内に正規挿入された端子金具を係止することにより、端子金具をキャビティ内に抜け止めする役割をはたす。リテーナは、キャビティ内への端子金具の挿入を許容する仮係止位置と、キャビティ内に端子金具が挿入された後、ランスの撓み空間内に進入することでランスの撓み動作を規制し、ひいては端子金具を二重係止する本係止位置とに、移動可能とされている。仮に、端子金具がキャビティ内に半挿入状態で留め置かれると、ランスが撓んだままの状態となるため、本係止位置に移動する過程のリテーナがランスの先端と当接して、リテーナのそれ以上の進入動作が規制されるようになっている。つまり、リテーナの移動操作の可否によって端子金具の半挿入状態を検知できるようになっている。また、ランスが端子金具と係止状態にある場合に、リテーナを撓み空間から退避させ、その状態で撓み空間内に治具を挿入して、ランスの先端を治具によって押し下げることにより、ランスが撓み空間内に撓み変形させられ、これによってランスと端子金具との係止状態が解除されるようになっている。
【先行技術文献】
【特許文献】
【０００３】
【特許文献１】特開２００９−２３１０７７号公報
【発明の概要】
【発明が解決しようとする課題】
【０００４】
ところで、上記の場合、端子金具の係止状態を解除するときにはランスの先端部に治具が当接する一方、端子金具が半挿入状態にあるときにはランスの先端部にリテーナが当接する構成であり、ランスの先端部におけるそれぞれの当接部位が同じ位置に設定されていた。このため、例えば、リテーナがランスの先端部を小突いてランスの先端部が損傷させられ、その状態で治具がランスの先端部に当接しようとすると、損傷状態にあるランスの先端部に治具がうまく引っ掛からず、ランスと端子金具との係止状態を解除できないおそれがあった。また、例えば、治具がランスの先端部を小突いてランスの先端部が損傷させられ、その状態でリテーナがランスの先端部に当接しようとしても、損傷状態にあるランスの先端部にリテーナが所定の位置で当接し得ず、端子金具の半挿入状態を検知できないおそれもあった。
【０００５】
本発明は上記のような事情に基づいて完成されたものであって、端子金具の半挿入状態を検知する機能と、ランスと端子金具との係止状態を解除する機能とが、いずれも損なわれないようにすることを目的とする。
【課題を解決するための手段】
【０００６】
上記の目的を達成するための手段として、請求項１の発明は、端子金具と、前記端子金具が挿入されるキャビティを有し、かつこのキャビティの内面に、前記端子金具を抜け止め係止するランスが撓み可能に突出して形成されているコネクタハウジングと、前記コネクタハウジングに装着され、前記端子金具が前記キャビティ内に正規挿入されている場合には、前記ランスの撓み空間内に進入して前記端子金具を係止した前記ランスの撓み動作を規制する一方、前記端子金具が前記キャビティ内に半挿入状態にある場合には、撓み状態にある前記ランスと当接して自身のそれ以上の進入動作が規制されるリテーナとを備えたコネクタであって、前記ランスには、前記端子金具が前記キャビティ内に半挿入状態にある場合に前記リテーナと当接する第１当接部と、前記端子金具への係止状態を解除するための治具が当接する第２当接部とが、それぞれ異なる位置に設けられ、前記リテーナには、前記端子金具が前記キャビティ内に半挿入状態にある場合に前記第１当接部と当接する半挿入検知部と、前記端子金具が前記キャビティ内に正規挿入されている場合に前記ランスとその撓み方向で対向する撓み規制部とが、それぞれ前記コネクタハウジングへの装着方向に位置ずれして設けられ、前記第２当接部が、前記ランスの幅方向中央側に設けられ、前記半挿入検知部が、前記リテーナの先端部の幅方向両側に設けられ、かつ前記リテーナの先端部の幅方向中央側には、前記第２当接部との干渉を回避する凹部が切り欠いて形成されているところに特徴を有する。
【０００７】
請求項２の発明は、請求項１に記載のものにおいて、前記第１、第２当接部が、前記リテーナのコネクタハウジングへの装着方向と直交する幅方向に位置ずれして設けられているところに特徴を有する。
【０００９】
請求項３の発明は、請求項１又は２に記載のものにおいて、前記第１当接部及び前記半挿入検知部が、前記コネクタハウジングへの装着方向に傾斜したテーパ状の当接面を有しているところに特徴を有する。
【００１０】
請求項４の発明は、請求項１ないし３のいずれか１項に記載のものにおいて、前記半挿入検知部が、前記撓み規制部よりも前記コネクタハウジングへの装着方向前方に設けられているところに特徴を有する。
【００１２】
請求項５の発明は、請求項１ないし４のいずれか１項に記載のものにおいて、前記コネクタハウジングの外面には、前記第２当接部と対向する位置に、治具が挿入される治具挿入孔が開口して形成され、前記治具挿入孔の幅寸法が、前記第２当接部の幅寸法とほぼ等しくされているところに特徴を有する。
【発明の効果】
【００１３】
＜請求項１の発明＞
端子金具が半挿入状態にある場合には、撓み状態にあるランスの第１当接部にリテーナが当接して、リテーナのそれ以上の進入動作が規制されるため、端子金具が半挿入状態にあることを知ることができる。また、端子金具とランスとの係止状態を解除する場合には、ランスの第２当接部に治具が当接して、治具による係止解除操作が円滑になされる。この場合に、第１、第２当接部がそれぞれ異なる位置に設けられているため、万一、第１当接部が損傷しても、治具が第２当接部に当接することで、係止解除機能が適正に発揮され、また万一、第２当接部が損傷しても、リテーナが第１当接部と当接することで、半挿入検知機能が適正に発揮される。したがって、係止解除機能と半挿入検知機能がいずれも損なわれるのが防止される。
また、リテーナには半挿入検知部と撓み規制部とがコネクタハウジングへの装着方向に位置ずれして設けられているため、半挿入検知部と撓み規制部とがランスに同時に当接するのが回避される。また、リテーナの先端部の幅方向中央側には第２当接部との干渉を回避する凹部が切り欠いて形成されているため、リテーナが第２当接部と干渉するのが回避され、治具によって端子金具の係止状態を解除する際の信頼性がより高められる。
【００１４】
＜請求項２の発明＞
第１、第２当接部が幅方向に位置ずれして設けられているため、リテーナ及び治具が第１、第２当接部と装着方向から確実に当接する。
【００１６】
＜請求項３の発明＞
第１当接部及び半挿入検知部がコネクタハウジングへの装着方向に傾斜したテーパ状の当接面を有しているため、端子金具が半挿入状態にある場合に、両当接面が互いに摺動することにより、ランスの撓み動作が誘導され、リテーナがランスの撓み空間内に誤って進入するのが防止される。したがって、リテーナによって端子金具の半挿入状態を検知する際の信頼性がより高められる。
【００１７】
＜請求項４の発明＞
半挿入検知部が撓み規制部よりもコネクタハウジングへの装着方向前方に設けられているため、装着過程の早い段階で半挿入検知部により端子金具が半挿入状態にあることを知ることができる一方、装着過程の終盤で撓み規制部によりランスの撓み動作を確実に規制することができる。
【００１９】
＜請求項５の発明＞
コネクタハウジングの外面に治具挿入孔が第２当接部と対向して配置され、治具挿入孔の幅寸法が第２当接部の幅寸法とほぼ等しくされているため、治具挿入孔内に挿入された治具が第１当接部と干渉するのが回避され、リテーナによって端子金具の半挿入状態を検知する際の信頼性がより高められる。
【図面の簡単な説明】
【００２０】
【図１】本発明の実施形態１に係るコネクタの断面図である。
【図２】端子金具がキャビティ内に半挿入状態にある場合にリテーナがランスの第１当接部と当接する状態をあらわす断面図である。
【図３】リテーナが仮係止位置にある場合に、コネクタハウジングのキャビティ内のランスを平面視した断面図である。
【図４】コネクタハウジングの断面図である。
【図５】リテーナの背面図である。
【図６】リテーナの平面図である。
【図７】ランスと端子金具との係止状態を解除する場合に治具がランスの第２当接部と当接する状態をあらわす断面図である。
【図８】ランスと端子金具との係止状態が解除された状態をあらわす断面図である。
【発明を実施するための形態】
【００２１】
＜実施形態１＞
本発明の実施形態１を図１ないし図８によって説明する。本実施形態に係るコネクタ１０は、図１に示すように、コネクタハウジング２０と、コネクタハウジング２０に装着されるリテーナ５０と、コネクタハウジング２０に収容される端子金具８０とを備えて構成される。コネクタハウジング２０は図示しない相手コネクタハウジングに嵌合可能とされ、端子金具８０は両コネクタハウジングの嵌合に伴って相手コネクタハウジングに装着された図示しない相手端子金具と電気的に接続可能とされている。なお、以下の説明において前後方向については相手コネクタハウジングに対する嵌合面側を前方とする。
【００２２】
端子金具８０は導電性の金属板を曲げ加工等して一体に成形され、図１に示すように、角筒状の端子本体８１と、端子本体８１の後方に連なるバレル部とを有している。バレル部８２、８３は、前方に位置して電線９０の端末部における芯線９１に圧着されるワイヤバレル８２と、後方に位置して電線９０の被覆９２に圧着されるインシュレーションバレル８３とからなる。端子本体８１の内部には、相手端子金具が挿入されて接続される。端子本体８１の外面には、スタビライザ８４が突出して形成されている。また、端子本体８１の後端縁は、後述するランス２５によって係止される被係止部８５とされている。
【００２３】
コネクタハウジング２０は合成樹脂製であって、図４に示すように、ブロック状のハウジング本体２１を有している。ハウジング本体２１の内部には、高さ方向に２段で幅方向に複数列のキャビティ２２が前後方向に延出して形成されている。各キャビティ２２内には後方から端子金具８０が挿入される。各キャビティ２２の内壁のうち、高さ方向（上下）のキャビティ２２間を仕切る隔壁２３の上下両面には、スタビライザ８４が進入可能な案内溝２４が形成されている。案内溝２４は、前後方向に延出してハウジング本体２１の後面に開口する形態とされている。端子金具８０が正規の挿入姿勢をとっていると、スタビライザ８４が案内溝２４内に進入して端子金具８０の挿入動作が案内される一方、端子金具８０が正逆反転の挿入姿勢をとっていると、スタビライザ８４が案内溝２４内に進入し得ず、端子金具８０の挿入動作が規制されるようになっている。
【００２４】
ハウジング本体２１の各キャビティ２２の内壁には、ランス２５が設けられている。ランス２５は、キャビティ２２の内壁から前方へ片持ち状に突出する形態とされている。そして、各ランス２５は、上段のキャビティ２２の上壁に連結されるとともに、下段のキャビティ２２の下壁に連結され、高さ方向で背合わせ状に配置されている。ハウジング本体２１の前端は前壁が省略され、リテーナ５０が装着されていない状態では、ランス２５の先端部がハウジング本体２１の前端開口を通して視認可能となっている。
【００２５】
また、図４に示すように、キャビティ２２の上下壁とランス２５との間には、ランス２５の撓み空間２６が設けられている。ランス２５はその根元を支点として撓み空間２６内へ高さ方向に撓み変形可能とされている。ランス２５の外面のうち撓み空間２６に臨む面には、リテーナ５０と当接可能なほぼ平坦な規制受け面２７が設けられている。
【００２６】
ランス２５の先端部には、図４に示すように、係止突起２８がキャビティ２２内に突出して形成されている。係止突起２８の前面はほぼ垂直に切り立つ係止面２９とされている。そして、ランス２５の先端部には、図３に示すように、リテーナ５０及び治具１００（図７を参照）のそれぞれと当接可能な第１、第２当接部３１、３２が幅方向に並んで設けられている。第１、第２当接部３１、３２は、それぞれ係止突起２８の係止面２９の外側（キャビティ２２の上下壁に近い側）から前方へ一体に突出する形態とされている。
【００２７】
第２当接部３２は、係止突起２８の係止面２９の幅方向中央部に突設されている。第２当接部３２の前面は、治具１００と当接可能な第２当接面３３とされている。第２当接面３３は、図４に示すように、後方へ向けて傾斜するテーパ状の斜面とされている。
【００２８】
第１当接部３１は、図３に示すように、第２当接部３２を挟んだ幅方向両側で、かつ係止突起２８の係止面２９の幅方向両端部に対をなして突設されている。第１当接部３１の前面は、リテーナ５０と当接可能な第１当接面３４とされている。第１当接面３４は、図２に示すように、後方へ向けて傾斜するテーパ状の斜面とされている。
【００２９】
本実施形態の場合、第２当接部３２の突出量は第１当接部３１の突出量より大きくされ、第２当接面３３は第１当接面３４より前方に位置している。第１、第２当接部３１、３２間は段付き状に連なっている。また、第１当接面３４の傾斜角（前後方向に対する傾斜角）は、第２当接面３３の傾斜角とほぼ同じとされている。
【００３０】
ハウジング本体２１の上下両外面には、図７に示すように、ランス２５の第２当接部３２と対向する位置に、治具挿入孔３５が開口して形成されている。この治具挿入孔３５は前方に開放され、リテーナ５０によって治具挿入孔３５の前端開口が閉止されるようになっている。また、図３に示すように、治具挿入孔３５の幅寸法は、第２当接部３２の幅寸法とほぼ等しくされている。
【００３１】
続いてリテーナ５０について説明すると、リテーナ５０は合成樹脂製であって、図１及び図５に示すように、ハウジング本体２１の前端開口を閉止可能な平板状の前壁部５１を有している。前壁部５１には、各キャビティ２２と対向する位置に、横長スリット状のタブ挿入孔５２が開口して形成されている。前壁部５１の前面におけるタブ挿入孔５２の開口縁には、図１に示すように、相手端子金具の雄タブ（図示せず）を各キャビティ２２内に案内するテーパ状の誘い込み部５３が拡開して形成されている。また、前壁部５１の後面の高さ方向中央部には、補助隔壁５４が後方へ突出して形成されている。補助隔壁５４は、幅方向に延出する形態とされ、後述する本係止位置では、図１に示すように、ハウジング本体２１の隔壁２３と前後に連続して配置されるようになっている。
【００３２】
また、前壁部５１の後面には、図６に示すように、ロック部５５が後方へ突出して形成されている。ロック部５５は、二股状に分岐する形態とされ、各分岐部分の先端側に突起５６が設けられている。ロック部５５の突起５６は、コネクタハウジング２０への装着時にハウジング本体２１のロック受け部（図示せず）に係止され、これによってリテーナ５０がハウジング本体２１に対し仮係止位置と本係止位置とに保持されるようになっている。仮係止位置では、図２に示すように、前壁部５１がハウジング本体２１の前端より前方に離間して配置され、本係止位置では、図１に示すように、前壁部５１がハウジング本体２１の前端に配置される。仮係止位置にあるリテーナ５０が後方へ押し込まれると、ロック部５５の突起５６とロック受け部との係止状態が解除され、これによってリテーナ５０の後方（本係止位置側）への移動が許容されるようになっている。
【００３３】
また、前壁部５１の後面の高さ方向両端部には、図５及び図６に示すように、各キャビティ２２と対応する位置毎に、ランス係合片５７が後方へ突出して形成されている。各ランス係合片５７は、前後方向に延出する板状の形態とされ、ランス２５の撓み空間２６内に進入可能とされ、かつその前端が治具挿入孔３５の前端開口を区画するようにされている（図２を参照）。また、ランス係合片５７の内面（キャビティ２２側の面）には、図３及び図５に示すように、幅方向に一対のリブ５８が突出して形成されている。各リブ５８は、前後方向に延出する形態とされ、端子本体８１の外面に当接可能とされている。端子金具８０は、リブ５８と補助隔壁５４との間に端子本体８１が挟まれることにより、キャビティ２２内に高さ方向に遊動規制状態に保持される。
【００３４】
また、ランス係合片５７の内面の幅方向中央部には、図３に示すように、リブ５８の後端より後方に、ほぼ平坦な撓み規制部５９が設けられている。図１に示すように、ランス係合片５７の撓み規制部５９は本係止位置ではランス２５の規制受け面２７と面接触状態で当接可能とされている。
【００３５】
また、ランス係合片５７の先端部には、図３に示すように、撓み規制部５９より前方に、幅方向に一対の半挿入検知部６１が設けられている。半挿入検知部６１の先端面は、前方へ向けてテーパ状に傾斜するリテーナ側当接面６２とされている。半挿入検知部６１のリテーナ側当接面６２はランス２５の第１当接面３４に当接可能とされている。
【００３６】
また、ランス係合片５７の先端部における両半挿入検知部６１の間には、図３に示すように、凹部６３が切り欠いて形成されている。凹部６３は、ランス係合片５７の先端に開口する形態とされ、ここにランス２５の第２当接部３２が進入可能とされている。そして、ランス係合片５７の先端部の外面には、図６に示すように、案内突起６４が設けられている。案内突起６４は、図７に示すように、治具挿入孔３５に向けて傾斜するテーパ状の案内斜面６５を有している。
【００３７】
次に、本実施形態に係るコネクタ１０の作用を説明する。
まず、コネクタハウジング２０のハウジング本体２１にリテーナ５０を組み付け、リテーナ５０を仮係止位置に留め置く。続いて、ハウジング本体２１の各キャビティ２２内に後方から端子金具８０を挿入する。端子金具８０の挿入過程では、ランス２５が撓み空間２６内に撓み変形させられ、端子金具８０が正規挿入されると、ランス２５が弾性的に復帰して、係止突起２８の係止面２９が端子本体８１の被係止部８５に後方から係止可能に配置される。これにより、端子金具８０がキャビティ２２から後方に抜け出るのが防止される。この間、リテーナ５０のランス係合片５７は、ランス２５の撓み動作を許容するべく撓み空間２６前方に待機させられている。
【００３８】
続いて、図１に示すように、リテーナ５０を後方へ押し込んで本係止位置に至らす。すると、ランス係合片５７が撓み空間２６内に進入し、ランス係合片５７の撓み規制部５９がランス２５の規制受け面２７に当接して、ランス２５の撓み空間２６内への撓み動作が阻止される。これにより、端子金具８０がランス２５及びリテーナ５０によって実質的に二重係止されることになる。
【００３９】
上記の場合、図２に示すように、仮に、端子金具８０がキャビティ２２内に正規深さで挿入されず半挿入状態で留まっていると、ランス２５が撓み空間２６内に撓んだままの状態となる。この状態で、リテーナ５０が本係止位置側に押し込まれようとすると、ランス係合片５７の半挿入検知部６１がランス２５の第１当接部３１と当接してリテーナ５０のそれ以上の進入動作が阻止される。このとき、半挿入検知部６１のリテーナ側当接面６２が第１当接部３１の第１当接面３４を摺動して、ランス２５の撓み空間２６内への撓み動作が誘導され、ランス２５が撓み空間２６内に撓み変形させられる。したがって、半挿入検知部６１が第１当接部３１に当接する状態が担保され、端子金具８０がキャビティ２２内に半挿入状態にあることを確実に知ることができる。また、半挿入検知部６１が第１当接部３１と当接した状態では、第２当接部３２が半挿入検知部６１の凹部６３内に進入して逃がされ、これによってランス係合片５７が第２当接部３２と干渉するのが回避される。
【００４０】
ところで、メンテナンス等の事情により端子金具８０をコネクタハウジング２０のキャビティ２２外へ引き抜くには、まずリテーナ５０を仮係止位置まで引き戻し、ランス２５が撓み変形可能な状態となす。その状態で、図７に示すように、治具挿入孔３５に治具１００の先端部を挿入する。なお、治具１００の先端部には、先端尖がり状の操作部１１０が形成されている。治具１００の挿入過程では、案内突起６４の案内斜面６５に沿って治具１００が治具挿入孔３５内に円滑に進入し、その進行方向で対向するランス２５の第２当接部３２に操作部１１０が当接する。
【００４１】
図８に示すように、その状態で治具１００を案内斜面６５に沿わせつつやや外側へこじるようにすると、操作部１１０の斜面１１２に第２当接部３２の第２当接面３３が当接し、ランス２５が治具挿入孔３５内に進入するように撓み変形させられる。これにより、ランス２５の係止突起２８が端子本体８１から引き離され、ランス２５と端子金具８０との係止状態が解除される。この状態で、電線９０を摘みつつ後方へ引っ張ることにより、端子金具８０をキャビティ２２外へ引き抜くことが可能となる。
【００４２】
以上説明したように、本実施形態によれば、端子金具８０が半挿入状態にある場合には、図２に示すように、撓み状態にあるランス２５の第１当接部３１にリテーナ５０が当接して、リテーナ５０のそれ以上の進入動作が規制されるため、端子金具８０が半挿入状態にあることを知ることができる。また、端子金具８０とランス２５との係止状態を解除する場合には、図８に示すように、ランス２５の第２当接部３２に治具１００が当接して、治具１００による係止解除操作が円滑になされる。この場合に、第１、第２当接部３１、３２がそれぞれ異なる位置に設けられているため、万一、第１当接部３１が損傷しても、治具１００が第２当接部３２に当接することで、係止解除機能が適正に発揮され、また万一、第２当接部３２が損傷しても、リテーナ５０が第１当接部３１と当接することで、半挿入検知機能が適正に発揮される。したがって、係止解除機能と半挿入検知機能がいずれも損なわれるのが防止される。
【００４３】
また、第１、第２当接部３１、３２が幅方向に位置ずれして設けられているため、リテーナ５０及び治具１００が第１、第２当接部３１、３２のそれぞれと前方から確実に当接する。
【００４４】
また、リテーナ５０には半挿入検知部６１と撓み規制部５９とが前後方向（コネクタハウジング２０への装着方向）に位置ずれして設けられているため、リテーナ５０の撓み規制部５９と半挿入検知部６１とがランス２５に同時に当接するのが回避される。
【００４５】
また、第１当接部３１及び半挿入検知部６１がそれぞれ前後方向に対し傾斜したテーパ状の第１当接面３４及びリテーナ側当接面６２を有しているため、端子金具８０が半挿入状態にある場合に、第１当接面３４及びリテーナ側当接面６２が互いに摺動することにより、ランス２５の撓み動作が誘導され、リテーナ５０がランス２５の撓み空間２６内に誤って進入するのが防止される。したがって、端子金具８０の半挿入状態を検知する際の信頼性がより高められる。
【００４６】
また、半挿入検知部６１が撓み規制部５９よりも前方（コネクタハウジング２０への装着方向前方）に設けられているため、装着過程の早い段階で半挿入検知部６１により端子金具８０が半挿入状態にあることを知ることができる一方、装着過程の終盤で撓み規制部５９によりランス２５の撓み動作を確実に規制することができる。
【００４７】
さらに、リテーナ５０のランス係合片５７の先端部の幅方向中央側には第２当接部３２との干渉を回避する凹部６３が切り欠いて形成されているため、端子金具８０の半挿入状態を検知する際に、リテーナ５０の先端部が第２当接部３２と当接するのが回避され、治具１００によって端子金具８０の係止状態を解除する際の信頼性がより高められる。
【００４８】
さらにまた、コネクタハウジング２０の外面に治具挿入孔３５が第２当接部３２と対向して配置され、治具挿入孔３５の幅寸法が第２当接部３２の幅寸法とほぼ等しくされているため、治具挿入孔３５内に挿入された治具１００が第１当接部３１と干渉するのが回避され、リテーナ５０によって端子金具８０の半挿入状態を検知する際の信頼性がより高められる。
【００４９】
＜他の実施形態＞
本発明は上記記述及び図面によって説明した実施形態に限定されるものではなく、例えば次のような実施形態も本発明の技術的範囲に含まれる。
（１）リテーナが幅方向に移動可能なサイドリテーナであってもよい。
（２）治具は、コネクタハウジングのキャビティ内に前方から進入してランスの第２当接部と当接するものであってもよい。
（３）端子金具が雄タブを有する雄型端子金具であってもよい。この場合、コネクタハウジングは、雄タブが突出するフードを有する雄側コネクタハウジングにすればよい。
【符号の説明】
【００５０】
１０…コネクタ
２０…コネクタハウジング
２５…ランス
２６…撓み空間
３１…第１当接部
３２…第２当接部
３５…治具挿入孔
３４…第１当接面（当接面）
５０…リテーナ
５７…ランス係合片
５９…撓み規制部
６１…半挿入検知部
６２…リテーナ側当接面（当接面）
６３…凹部
８０…端子金具
１００…治具
【図１】
0005656121.tif 000002
【図２】
0005656121.tif 000003
【図３】
0005656121.tif 000004
【図４】
0005656121.tif 000005
【図５】
0005656121.tif 000006
【図６】
0005656121.tif 000007
【図７】
0005656121.tif 000008
【図８】
0005656121.tif 000009